(57)【要約】【課題】電子機器の出し入れがし易くケーブル類の収納スペースと電子機器の間に余長を設ける必要が無いキャビネット構造にすること。【解決手段】複数の電子機器９を並列して収納可能な電子機器収納部５０を備えた棚板２１と、電子機器を充電するために用いられるケーブルを収納可能な配線収納部３０を内部に備えたキャビネット１であって、棚板の摺動時に電子機器収納部とともに移動可能な配線収納部を、電子機器収納部の後方に設けた構成とする。【選択図】図１
2020116310.tif 000002
【特許請求の範囲】
【請求項１】
複数の電子機器を並列して収納可能な電子機器収納部を備えた棚板と、電子機器を充電するために用いられるケーブルを収納可能な配線収納部を内部に備えたキャビネットであって、棚板の摺動時に電子機器収納部とともに移動可能な配線収納部を、電子機器収納部の後方に設けた電子機器収納用キャビネット。
【請求項２】
配線収納部に、ケーブルを保持するための規制部を備えた請求項１に記載の電子機器収納用キャビネット。
【請求項３】
棚板を複数備え、下方側に位置する棚板を最も前側まで移動させた際の棚板の前端が、その棚板の上方側に位置する棚板を最も前側まで移動させた際の棚板の前端よりも前方に位置するように構成された請求項１又は２に記載の電子機器収納用キャビネット。
【請求項４】
電子機器収納部の後方で、配線空間が配線収納部に並列して配置され、配線収納部が、左右側板の一方の側板側に寄せて配置され、配線空間が、配線収納部よりも左右側板の他方の側板側に配置された請求項１乃至３の何れかに記載の電子機器収納用キャビネット。
【発明の詳細な説明】
【技術分野】
【０００１】
本発明は、電子機器収納用キャビネットに関するものである。
【背景技術】
【０００２】
近年、学校等の教育現場で、タブレット端末などの電子機器を使用して授業を行うことが進められている。一般的に、これらの電子機器をまとめて収納するキャビネットは、キャビネット内の棚板に複数の仕切板を備えており、その仕切板の間に電子機器を収納できるようにしている。また、電子機器と充電を行うためのケーブル類との混在を防ぐために、電子機器の収納スペースとケーブル類の収納スペースとを上下に分割した構造が一般的となっている。特許文献１に記載されているように、このようなキャビネットでは、ケーブル類の収納スペースからキャビネットの前面側に充電ケーブルを配索し、収納した電子機器に充電ケーブルを接続して電子機器への充電を行えるようにすることが知られている。
【先行技術文献】
【特許文献】
【０００３】
【特許文献１】特開２０１６−０９２１４５号公報
【０００４】
このようにキャビネットの前面側に充電ケーブルを配索した構造の場合、「電子機器を出し入れする際に、この充電ケーブルが邪魔になり、充電ケーブルが引っかからないように注意して出し入れを行わなくてはならない。」、「充電ケーブルがキャビネットの前面側に垂れ下がった状態となっているため、見栄えが悪い。」、「ケーブル類の収納スペースを電子機器の収納スペースの上部に配置する必要があり、キャビネットの高さ方向にスペースが必要となり、背の低い子供が使いにくくなる。」といった問題が生じ得る。
【０００５】
これらを解決するために、ケーブル類の収納スペースをキャビネットの背面側に固定し、この収納スペースから棚板に向けてケーブルを配索することが考えられるが、このような構成にしようとすると、電子機器を取り出すためにキャビネット内から棚板を引き出すと、収納スペースから棚板に向けて配策される充電ケーブルも共に伸長することを考慮する必要がある。また、棚板の移動に対応するために充電ケーブルに余長部分を備えておく必要があり、このような充電ケーブルの余長部分は、ケーブル同士が絡まり易くなる原因となる。また、電子機器を出し入れする際にキャビネットの摺動部にケーブルの余長部分を挟み込むおそれがある。といった問題があった。
【発明の概要】
【発明が解決しようとする課題】
【０００６】
本件の発明者は、この点について鋭意検討することにより、解決を試みた。本発明が解決しようとする課題は、電子機器の出し入れがし易くケーブル類の収納スペースと電子機器の間に余長を設ける必要が無いキャビネット構造にすることである。
【課題を解決するための手段】
【０００７】
上記課題を解決するため、複数の電子機器を並列して収納可能な電子機器収納部を備えた棚板と、電子機器を充電するために用いられるケーブルを収納可能な配線収納部を内部に備えたキャビネットであって、棚板の摺動時に電子機器収納部とともに移動可能な配線収納部を、電子機器収納部の後方に設けた電子機器収納用キャビネットとする。
【０００８】
また、配線収納部に、ケーブルを保持するための規制部を備えた構成とすることが好ましい。
【０００９】
また、棚板を複数備え、下方側に位置する棚板を最も前側まで移動させた際の棚板の前端が、その棚板の上方側に位置する棚板を最も前側まで移動させた際の棚板の前端よりも前方に位置するように構成された構成とすることが好ましい。
【００１０】
また、電子機器収納部の後方で、配線空間が配線収納部に並列して配置され、配線収納部が、左右側板の一方の側板側に寄せて配置され、配線空間が、配線収納部よりも左右側板の他方の側板側に配置されたことが好ましい。
【発明の効果】
【００１１】
本発明では、電子機器の出し入れがし易くケーブル類の収納スペースと電子機器の間に余長を設ける必要が無いキャビネット構造にすることが可能となる。
【図面の簡単な説明】
【００１２】
【図１】実施形態における電子機器収納用キャビネットを右前方側から見た斜視図である。ただし、前面扉が開かれて、最下段の棚板が引き出され、背面板が取り外された状態を示している。
【図２】実施形態における棚板と配線収納部を右後方側から見た斜視図である。
【図３】キャビネットに電子機器を収納した状態を示す断面図である。ただし、３本の破線は、各々、格納状態における棚板の前端の位置を表している。
【図４】図３に示した最下段の棚板を引き出した状態を示す図である。ただし、引き出された棚板２１の電子機器収納部５０の後端を破線で表し、格納位置にある一段上の棚板２１の前端を一点鎖線で表している。
【図５】背面板を外した状態におけるキャビネットの背面図である。ただし、配線空間を破線で示している。
【図６】天井板を外した状態におけるキャビネットの平面図である。ただし、配線空間を破線で示している。
【図７】図２に示したものとは異なる形態の棚板を右前方側から見た斜視図である。
【発明を実施するための形態】
【００１３】
以下に発明を実施するための形態を示す。図１乃至図５に示されていることから理解されるように、本実施形態の電子機器収納用キャビネット１は、複数の電子機器９を並列して収納可能な電子機器収納部５０を備えた棚板２１を内部に備えたキャビネット１である。また、電子機器収納部５０の後方に、電子機器９を充電するために用いられるケーブルを収納可能な配線収納部３０を備え、棚板２１の摺動時に、電子機器収納部５０とともに配線収納部３０が移動可能な構造である。このため、電子機器９の出し入れがし易くケーブル類の収納スペースと電子機器９の間に余長を設ける必要が無いキャビネット構造にすることが可能となる。また、見栄えが良く、高さを抑えることができるキャビネット１にすることができる。
【００１４】
ここで、キャビネット１の基本的な構造について、説明する。実施形態のキャビネット１は、底板１１、左右側板１２ａ,１２ｂ、天井板１３、前面扉１４、背面板１５を備えており、これらで、区画された空間にタブレット端末などの電子機器９を収納できるようにしている。
【００１５】
実施形態の底板１１は、キャスター２２を備えているため、キャビネット１の側面に力をかけることで、容易に移動させることができる。なお、常設するキャビネット１として、利用する場合は、底板１１にキャスター２２を設けないようにしても良い。
【００１６】
実施形態の天井板１３は、取手１６を備えている。図１に示す例では、取手１６を二つ備えたものとしているため、作業者は両手を各々別の取手１６に掛けることができ、キャビネット１の移動が容易となる。なお、取手１６は、天井板１３に設けることに限る必要は無い。例えば左右に配置された側板１２に取手１６を設けてもよい。
【００１７】
実施形態のキャビネット１の側面を構成する左右側板１２ａ,１２ｂと背面板１５は、換気口１７を備えている。これらの換気口１７から、収納した電子機器９による熱をキャビネット１の外部に放熱することができる。なお、換気口１７の位置は実施形態で開示した位置に限定する必要は無く、適宜設ければよい。
【００１８】
実施形態の前面扉１４は、キャビネット１の前面開口部１８を開閉自在に覆うことができるものである。また、背面板１５は、キャビネット１の背面開口部１９を着脱自在に覆うことができるものである。
【００１９】
実施形態のキャビネット１の内部には、移動可能な棚板２１を備えている。この棚板２１は、摺動部２３によって、前後方向に摺動可能な構成となっている。より具体的には、左右側板１２ａ,１２ｂに備えたレールによって、前後方向にスライドできる構成となっている。なお、摺動部２３は、左右側板１２ａ,１２ｂに設ける必要は無い。例えば底板１１に摺動部２３を設けるようにしてもよい。また、摺動部２３はレール状である必要もなく、棚板２１を摺動可能とするものであればどのような形態であってもよい。
【００２０】
棚板２１は、複数の電子機器９（タブレット端末など）を並列させて収納可能な電子機器収納部５０を備えている。図１及び図２に示すことから理解されるように、実施形態では、棚板２１の上に複数の充電ホルダ５１を並列して配置することで、電子機器収納部５０を構成している。
【００２１】
実施形態では、充電ホルダ５１の給電部に電子機器９を接続することにより、充電ホルダ５１に保持された電子機器９に対して充電できる構成としている。なお、充電ホルダ５１はＱｉ規格などに対応したワイヤレス給電が行えるものとしてもよい。このようにすれば、Ｑｉ規格に対応した電子機器９に関しては、給電部に接続せずとも、充電ホルダ５１に設置するだけで充電することができる。
【００２２】
電子機器収納部５０の後方には、電子機器９を充電するためのケーブルを収納可能な配線収納部３０を備えている。図１及び図２に示す例の配線収納部３０は、板材を略コ字状に折り曲げたダクト形状としている。図２に示す例の配線収納部３０は、棚板２１の後方端部にねじ等により固定されている。
【００２３】
板材を略コ字状に折り曲げることで設けられた配線収納部３０のうち、折り曲げた片の一方は、配線収納部３０の後壁３１となり、配線収納部３０に収納したケーブルの脱落を防止できる。また、折り曲げた片の他方は、電子機器収納部５０と配線収納部３０との間を区画する隔壁３２となり、かつ、配線収納部３０内に収納したケーブルを保持する規制部となっている。ケーブルを保持するための規制部を設けることで、棚板２１を摺動させた場合に、ケーブルが過度に移動してしまうことを抑制することができる。
【００２４】
図２に示す例の隔壁３２には、挿通穴３３を備えている。この挿通穴３３に対してケーブルの一端を挿通し、充電ホルダ５１に接続することにより、充電するために必要なケーブルを配索することができる。
【００２５】
余剰のケーブルは、配線収納部３０にまとめて収納することができ、電子機器収納部５０との間を区画する隔壁３２によって、棚板２１の摺動の弾みでケーブルが移動するのを規制し、配線収納部３０内に保持される。ケーブルにＡＣアダプタ９１を備える場合は、ＡＣアダプタ９１も配線収納部３０内に収納できる。
【００２６】
実施形態のように、電子機器収納部５０の後方に、電子機器９を充電するために用いられるケーブルを収納可能な配線収納部３０を備え、棚板２１の摺動時に、電子機器収納部５０とともに配線収納部３０が移動可能な構造とすれば、タブレット端末を出し入れするために、棚板２１を摺動させても、電子機器収納部５０と、配線収納部３０がともに移動することになり、充電ホルダ５１につながるケーブルがそれに合わせて動くため、ケーブルの絡まりや挟み込みを抑制することができる。
【００２７】
実施形態では、棚板２１を摺動させても、配線収納部３０と電子機器収納部５０との相対的な位置関係は変わらないため、電子機器収納部５０にケーブルが混在するのを防ぐことができる。
【００２８】
図３及び図４に示すことから理解されるように、実施形態のキャビネット１は、配線収納部３０を備えた棚板２１が、上下方向に並ぶように複数設けられている。また、いずれの棚板２１も、その前端が前面開口部１８よりも前方に突出するように移動させることができる。
【００２９】
実施形態においては、棚板２１を複数備えた構成とするとともに、下方側に位置する棚板２１を最も前側まで移動させた際の棚板２１の前端が、その棚板２１の上方側に位置する棚板２１を最も前側まで移動させた際の棚板２１の前端よりも前方に位置するように構成している。
【００３０】
図３に示す例では、棚板２１の前後方向の長さを全て同様にしているため、その初期のセット位置（格納位置）をずらすことで、このようなことを可能としている。より具体的には、最上段の棚板２１は一番後方に位置するようにセットし、下段になるほど前方に位置するようにセットしている。このような構造とすることにより、下段側になるほど、より前方に引き出すことができ、タブレット端末などの電子機器９を出し入れする際に上段の棚板２１との接触を抑制することができる。なお、図４に示すように、下方側に位置する棚板２１を引き出した際、引き出された棚板２１の電子機器収納部５０の後端が、格納位置にある上段の棚板２１の前端よりも、より前方に位置するように移動できることが好ましい。なお、図４においては、引き出された棚板２１の電子機器収納部５０の後端を破線で表し、格納位置にある一段上の棚板２１の前端を一点鎖線で表している。
【００３１】
ところで、実施形態のキャビネット１においては、ケーブル類を通すための配線空間６１をキャビネット１の後部に確保している。より詳しくは、電子機器収納部５０の後方で、配線空間６１が配線収納部３０に並列して配置され、配線収納部３０が、左右側板１２ａ,１２ｂの一方の側板１２ａ（若しくは１２ｂ）側に寄せて配置され、配線空間６１が、配線収納部３０よりも左右側板１２ａ,１２ｂの他方の側板１２ｂ（若しくは１２ａ）側に配置された構成としている。このため、棚板２１の摺動距離を考慮したケーブルの余長部分を配線空間６１内に収めることができ、摺動時にケーブルが摺動部に挟み込まれることを抑制することができる。なお、図５及び図６に示す例では、配線収納部３０を左側板１２ｂ側に寄せて配置し、右側板１２ａ側に配線空間６１を設けている。
【００３２】
図３乃至図６に示す例では、右側板１２ａ側に、コンセントバー２４を取り付けている。一端を充電ホルダ５１に接続したケーブルの他端側は、配線収納部３０の右端部から引き伸ばして、このコンセントバー２４に接続することができる。この際、棚板２１の摺動距離を考慮した余長部分を配線空間６１内に収める。なお、配線空間６１がコンセントバー２４に隣り合うように設けられているため、配線空間６１が作業空間の役割を果たし、コンセントバー２４への差込作業が行い易くなる。
【００３３】
実施形態の配線空間６１は、キャビネット１の高さ方向に延びるものであり、棚板２１の摺動距離に応じて必要となるケーブルの余長部分を配線空間６１内に収めることができ、摺動部２３へのケーブルの挟みこみを抑制することができる。なお、実施形態の配線空間６１は、棚板２１を最も後方に位置させた状態において、棚板２１よりも後方側に位置する。また、この配線空間６１は、最上段の棚板２１の高さから最下段の棚板２１の高さまでを含むように連続して垂直方向に延びるように設けられており、どの配線収納部３０から引き出されているケーブルであっても、この配線空間６１を通すことができる。
【００３４】
ところで、キャビネット１に対して外部から電気を供給するためには、キャビネット１にコンセントケーブル通し穴２５を備える構成とすることが考えられる。このようにすれば、コンセントバー２４のコンセントケーブルを、コンセントケーブル通し穴２５を挿通させて、キャビネット１の外側に引き伸ばし、キャビネット１の外部のコンセントへ差し込むことにより、キャビネット１内部に電源を供給することができる。
【００３５】
コンセントケーブル通し穴２５は、左右側板１２ａ,１２ｂの何れか若しくは双方に、設けることが好ましい。このようにすれば、コンセントケーブル通し穴２５を背面板１５に取り付けた場合とは異なり、背面板１５の取り付け取り外し時にケーブルを気にする必要が無くなる。また、外観上も好ましいものとすることができる。図６に示す例においては、左右側板１２ａ,１２ｂにコンセントケーブル通し穴２５を備えるものとしている。
【００３６】
左右側板１２ａ,１２ｂの外側には、ケーブルフック２６を備えるものとすることが好ましい。キャビネット１の外側に引き伸ばされたコンセントケーブルを巻きつけておけば、キャビネット１を移動させる際にコンセントケーブルが邪魔になることを抑制することができる。
【００３７】
なお、コンセントバー２４の配置は、左右側板１２ａ,１２ｂに限定されるものでは無い。例えば配線収納部３０内や配線収納部３０の後壁３１に備えてもよい。その場合は、コンセントケーブルの余長部分を配線空間６１内に収め、コンセントケーブル通し穴２５からキャビネット１の外へ挿通すればよい。
【００３８】
ここで、キャビネット１を用いて、電子機器９を充電できるようにするための設定手順例について説明する。まず、棚板２１に設置された複数の充電ホルダ５１に対して電気を供給できるようにする必要がある。そこで、キャビネット１の背面板１５を外して、充電するためのケーブルの一端を配線収納部３０の挿通穴３３を挿通させて充電ホルダ５１に差し込むようにする。このケーブルの他端は、配線収納部３０の端部から引き伸ばしコンセントバー２４に差し込む。この際、棚板２１の摺動範囲を考慮した余長部分は配線空間６１に収める。また、余剰のケーブルが有る場合は、そのケーブルについても配線収納部３０に収納する。
【００３９】
充電時にはキャビネット１内に電子機器９が収納されているため、電子機器９を使用するときは、前面扉１４を開き、棚板２１を前方にスライドさせて電子機器９を取り出せばよい。電子機器９の使用後は、電子機器９を充電ホルダ５１に接続して、前面扉１４を閉めればよい。
【００４０】
ところで、キャビネット１は充電ホルダ５１を使用して電子機器９に充電する形態のものに限る必要は無い。例えば、図７に示すように、棚板２１に複数の仕切板２７を備えた形態とし、この仕切板２７の間にタブレット端末などの電子機器９を収納してもよい。このようにした場合、充電するためのケーブルを仕切板２７と仕切板２７の間に配索すれば、ケーブルが絡まるのを防ぐことができる。なお、仕切板２７をワイヤレス給電に対応した仕切板２７とすれば、仕切板２７の間にタブレット端末を収納するのみで充電を行うことができる。
【００４１】
以上、実施形態を例に挙げて本発明について説明してきたが、本発明は上記実施形態に限定されることはなく、各種の態様とすることが可能である。例えば、規制部は隔壁に限定する必要は無く、余剰のケーブルを配線収納部に保持できる構造であればよい。例えば、隔壁の代わりに複数の突起部材を備えてもよく、その場合は突起部材の間からケーブルを挿通することができる。また、面ファスナーで保持するなどして、ケーブルを配線収納部内に保持できる構成としても良い。
【符号の説明】
【００４２】
１  キャビネット
９  電子機器
１２  側板
２１  棚板
３０  配線収納部
６１  配線空間
【図１】
2020116310.tif 000003
【図２】
2020116310.tif 000004
【図３】
2020116310.tif 000005
【図４】
2020116310.tif 000006
【図５】
2020116310.tif 000007
【図６】
2020116310.tif 000008
【図７】
2020116310.tif 000009